(57)【特許請求の範囲】
【請求項１】
電力系統から供給される交流電力を直流電力に電力変換して電動車両に実装された蓄電池に供給し、前記蓄電池から放電された直流電力を交流電力に電力変換して宅内負荷に供給する充放電装置であって、
交流電力を直流電力に電力変換し、また直流電力を交流電力に電力変換する電力変換回路を収納する第１の筐体と、
前記電力変換回路において直流電力から電力変換されて前記宅内負荷に供給される交流電力の電圧を変圧するトランスを収納する第２の筐体と、
前記第１の筐体と前記第２の筐体とを脱着可能に固定する固定部と、
を備えることを特徴とする充放電装置。
【請求項２】
前記トランスが収納された前記第２の筐体の全体の重量が、前記電力変換回路が収納された前記第１の筐体の全体の重量よりも重く、
前記充放電装置の高さ方向において、前記第１の筐体が前記第２の筐体の上に配置されていること、
を特徴とする請求項１に記載の充放電装置。
【請求項３】
前記第２の筐体は、前記トランスの大きさに対応する形状および大きさを有する筐体であり、
前記固定部が、前記第１の筐体を支持する脚部と、前記脚部に固定され前記第２の筐体を上面で支持する棚板と、を含むこと、
を特徴とする請求項１または２に記載の充放電装置。
【発明の詳細な説明】
【技術分野】
【０００１】
本開示は、蓄電池の充放電を行うことが可能な電動車両用の充放電装置に関する。
【背景技術】
【０００２】
近年、電気自動車（Ｅｌｅｃｔｒｉｃ  Ｖｅｈｉｃｌｅ：ＥＶ）およびプラグインハイブリッド自動車（Ｐｌｕｇ−ｉｎ  Ｈｙｂｒｉｄ  Ｅｌｅｃｔｒｉｃ  Ｖｅｈｉｃｌｅ：ＰＨＥＶ）などの電動車両が普及しつつある。そして、電動車両の普及とともに、電力系統から供給される電力を電動車両に実装された蓄電池に充電する家庭向けの電動車両用充電装置が普及しつつある。また、電力系統から供給される電力を電動車両に実装された蓄電池に充電するとともに電動車両の蓄電池から宅内負荷である家庭用電気機器に電力を供給する電動車両用の充放電装置を備えたＶ２Ｈ（Ｖｅｈｉｃｌｅ  ｔｏ  Ｈｏｍｅ）システムが普及しつつある。【０００３】
Ｖ２Ｈシステムを構成する充放電装置は、電力系統から供給される電力を電動車両の蓄電池に充電するために、交流電力を直流電力に変換する。また、Ｖ２Ｈシステムを構成する充放電装置は、電動車両の蓄電池から放電した直流電力を、宅内負荷に供給できる交流電力に変換する。Ｖ２Ｈシステムを実現する電動車両用の充放電装置は、電力変換のためにトランスを実装している。Ｖ２Ｈシステムを実現する電動車両用の充放電装置は、住宅内の全ての家庭用電気機器の負荷を駆動可能な電力を供給するためには、定格容量が大きい大型のトランスが必要となる。一方で、Ｖ２Ｈシステムを実現する電動車両用の充放電装置は、住宅内の特定の負荷である特定の家庭用電気機器のみに限定して電力を供給する場合には、定格容量が大きい大型のトランスを必ずしも使用しなくてもよい。【０００４】
定格容量が大きいトランスは、物理的な大きさが大きく、Ｖ２Ｈシステムを構成する電動車両用の充放電装置の筐体の内部空間において占める割合が大きい。このため、定格容量が大きいトランスは、充放電装置の筐体の内部における配置場所の配慮が重要となる。【０００５】
また、定格容量が大きいトランスは、重量が重い部品であるため、充放電装置の筐体において上方に配置されると充放電装置の重心が高くなる。この結果、充放電装置は、設置状態での安定性が不安定となる。このため、定格容量が大きいトランスは、充放電装置の筐体の重心ができるだけ低くなるように、充放電装置の筐体の内部における下方に配置されることが必要となる。【０００６】
さらに、災害に備えるために、非常用電源として、電動車両と充放電装置とを備えたＶ２Ｈシステムが求められている。しかし、ユーザーの要望は多様化しており、コストを抑えて住宅内の特定の負荷である特定の家庭用電気機器に電力を供給する充放電装置、およびコストをかけても住宅内の全ての負荷である全ての家庭用電気機器に電力を供給する充放電装置など、ユーザーの要望に柔軟に対応できる充放電装置が求められている。【０００７】
特許文献１には、大形で質量が大きいトランスを筐体の下部側で蓄電池モジュールの側部に配置することにより、製品の重心を下げて、設置状態における安定性を確保することができる蓄電池システムが開示されている。
【先行技術文献】
【特許文献】
【０００８】
【特許文献１】特開２０１９−１７６５３４号公報
【発明の概要】
【発明が解決しようとする課題】
【０００９】
しかしながら、上記特許文献１に記載の蓄電池システムの構造は、同一の筐体の内部に電力変換回路とトランスとが配置されている。そして、特許文献１に記載の蓄電池システムは、電力変換回路が小電力の電力変換を行う製品仕様とされて、トランスが小型化された場合は、トランスの定格容量に対応するために筐体の大きさの変更が必要となる。このため、電力変換回路の仕様に合わせたトランスの定格容量に対応した複数の筐体を製造しなければならず、製造が複雑になる、という問題があった。【００１０】
本開示は、上記に鑑みてなされたものであって、住宅内の家庭用電気機器の負荷に電力を供給する場合に、ユーザーが要望する電力の供給容量に柔軟に対応でき、簡便に製造可能な充放電装置を得ることを目的とする。
【課題を解決するための手段】
【００１１】
上述した課題を解決し、目的を達成するために、本開示にかかる充放電装置は、電力系統から供給される交流電力を直流電力に電力変換して電動車両に実装された蓄電池に供給し、蓄電池から放電された直流電力を交流電力に電力変換して宅内負荷に供給する充放電装置である。充放電装置は、交流電力を直流電力に電力変換し、また直流電力を交流電力に電力変換する電力変換回路を収納する第１の筐体と、電力変換回路において直流電力から電力変換されて宅内負荷に供給される交流電力の電圧を変圧するトランスを収納する第２の筐体と、第１の筐体と第２の筐体とを脱着可能に固定する固定部と、を備える。
【発明の効果】
【００１２】
本開示にかかる充放電装置は、住宅内の家庭用電気機器の負荷に電力を供給する場合に、ユーザーが要望する電力の供給容量に柔軟に対応でき、簡便に製造可能である、という効果を奏する。
【図面の簡単な説明】
【００１３】
【図１】実施の形態１にかかる充放電システムの構成例を示す図
【図２】実施の形態１にかかる充放電装置を示す斜視図
【図３】実施の形態１にかかる充放電装置においてトランス筐体部が取り外された状態を示す斜視図
【図４】実施の形態１にかかる充放電装置のトランス筐体部を示す斜視図
【図５】実施の形態１にかかる充放電装置の電力変換筐体部のケーブル挿通孔を塞ぐブッシュを示す斜視図
【図６】実施の形態２にかかる充放電装置を示す斜視図
【図７】実施の形態２にかかる充放電装置において、トランス筐体部および棚板が取り外され、短い脚部が取り付けられた状態を示す斜視図
【図８】実施の形態２にかかる充放電装置のトランス筐体部を示す斜視図
【発明を実施するための形態】
【００１４】
以下に、実施の形態にかかる充放電装置を図面に基づいて詳細に説明する。
【００１５】
実施の形態１．
図１は、実施の形態１にかかる充放電システムの構成例を示す図である。図２は、実施の形態１にかかる充放電装置を示す斜視図である。図３は、実施の形態１にかかる充放電装置においてトランス筐体部が取り外された状態を示す斜視図である。図４は、実施の形態１にかかる充放電装置のトランス筐体部を示す斜視図である。図５は、実施の形態１にかかる充放電装置の電力変換筐体部のケーブル挿通孔を塞ぐブッシュを示す斜視図である。
【００１６】
充放電システム１００は、充放電装置１と、電力系統５０と、負荷６０と、電動車両７０と、を備える。充放電システム１００は、電動車両７０に実装された駆動用の蓄電池７１を電力系統５０から供給される電力で充電するとともに、蓄電池７１に蓄えられた電力を放電させて負荷６０に供給するＶ２Ｈシステムである。
【００１７】
電動車両７０は、例えば、電気自動車、プラグインハイブリッド自動車などが例示される。電動車両７０の内部には、電動車両７０を駆動させるために用いられる駆動用の蓄電池７１が実装されている。蓄電池７１は、直流電力を充電および放電可能な二次電池であり、直流電力を蓄電可能であるとともに、放電時には直流電源としても機能する。蓄電池７１は、例えば、ニッケル水素電池、リチウムイオン電池などによって実現される。
【００１８】
電力系統５０は、交流電力を充放電装置１または負荷６０に供給する交流電源である。
【００１９】
負荷６０は、電力を消費する機器であり、例えば住宅内に設置される宅内負荷である家庭用電気機器である。家庭用電気機器は、空気調和機、冷蔵庫および電子レンジなどが例示される。負荷６０は、充放電装置１を介して電力系統５０と電気的に接続される他に、充放電装置１を介さずに電力系統５０と電気的に接続されている。
【００２０】
充放電装置１は、電動車両用の充放電装置である。充放電装置１は、電力系統５０から供給される交流電力を直流電力に電力変換して電動車両７０に実装された蓄電池７１に供給し、蓄電池７１を充電させる。また、充放電装置１は、蓄電池７１から放電された直流電力を交流電力に電力変換して宅内負荷である家庭用電気機器に供給する。充放電装置１は、電力系統５０、負荷６０および電動車両７０と電気的に接続されている。
【００２１】
充放電装置１は、電力変換部２と、充放電ケーブル５と、充放電コネクタ６と、ケーブルホルダー７と、を備える。
【００２２】
充放電ケーブル５は、充放電装置１を電動車両７０と電気的に接続するためのケーブルである。
【００２３】
充放電コネクタ６は、充放電装置１の使用時に電動車両７０に接続されるコネクタであって、接続先の電動車両７０の不図示の充電接続部に取り付けられて、電動車両７０に実装された蓄電池７１に電気的に接続する。
【００２４】
ケーブルホルダー７は、充放電装置１の不使用時に充放電ケーブル５の中途部が巻き付けられて充放電ケーブル５の中途部を保持するホルダーである。
【００２５】
電力変換部２は、電力変換部２において相対的に上部に配置された電力変換筐体部３と、電力変換部２において相対的に下部に配置されたトランス筐体部４と、の２つの筐体を備える。
【００２６】
電力変換筐体部３とトランス筐体部４とは、薄板の板金で形成された箱形状を有している。電力変換筐体部３とトランス筐体部４とにより、電力変換部２の筐体、すなわち電力変換部２の外郭が構成されている。電力変換部２は、前後方向の寸法よりも、左右方向の寸法および上下方向の寸法が大きい直方体形状に形成されている。前後方向は、電力変換部２の奥行き方向であり、図２におけるＹ方向である。左右方向は、電力変換部２の幅方向であり、図２におけるＸ方向である。上下方向は、電力変換部２の高さ方向であり、図２におけるＺ方向である。
【００２７】
充放電装置１は、電力変換部２の高さ方向が鉛直方向と平行な方向となるように配置されて使用される。ケーブルホルダー７は、電力変換筐体部３の一側面に設けられている。なお、電力変換部２の奥行き方向は、充放電装置１の奥行き方向と換言できる。電力変換部２の幅方向は、充放電装置１の幅方向と換言できる。電力変換部２の高さ方向は、充放電装置１の高さ方向と換言できる。
【００２８】
電力変換筐体部３は、電力変換部２において上部に配置されている。トランス筐体部４は、電力変換部２において下部に配置されている。すなわち、トランス筐体部４は、電力変換筐体部３の下部に配置されている。
【００２９】
電力変換筐体部３は、充放電装置１における第１の筐体であり、主として電力変換用の電気回路基板である電力変換回路３００と、電力変換回路用のヒートシンク３０１と、を内部に収納している。
【００３０】
電力変換回路３００は、電力系統５０から供給される電力を電動車両７０に実装された蓄電池７１に充電するために交流電力を直流電力に電力変換し、また、電動車両７０の蓄電池７１から放電される直流電力を家庭用電気機器に供給するために交流電力に変換する、電気回路である。電力変換回路３００は、動作時に発熱する発熱部品を有しており、動作時に発熱する。
【００３１】
ヒートシンク３０１は、電力変換回路３００で発熱された熱を効率的に放熱して電力変換回路３００を冷やす機能を有する。
【００３２】
電力変換筐体部３は、前面３３が蓋部とされており、前面３３を開閉可能とされている。電力変換筐体部３は、前面３３を開くことにより、電力変換筐体部３とトランス筐体部４との固定作業、電力変換回路３００およびヒートシンク３０１などの部品の設置および取り外しといった作業が実施可能とされている。
【００３３】
電力変換筐体部３は、貫通孔であるねじ孔３１と、貫通孔であるケーブル挿通孔３２と、が下面３４に形成されている。ねじ孔３１は、電力変換筐体部３とトランス筐体部４とのねじ固定に用いられる。ケーブル挿通孔３２は、電力変換回路３００と後述するトランス４００とを電気的に接続する不図示の電力用ケーブルを挿通するために用いられる。
【００３４】
トランス筐体部４は、充放電装置１における第２の筐体であり、変圧用のトランス４００と、トランス用のヒートシンク４０１と、を内部に収納している。
【００３５】
トランス４００は、電力変換回路３００で変換された交流電力の変圧を行う。すなわち、トランス４００は、電力変換回路３００で変換された交流電力を家庭用電気機器に供給する際に、交流電力を家庭用電気機器に対応した電圧に変換する。トランス４００は、電力変換回路３００の製品仕様、すなわち電力変換回路３００における所望の電力容量に対応する定格容量を有する変圧器である。トランス４００は、動作時に発熱する発熱部品である。
【００３６】
ヒートシンク４０１は、トランス４００で発熱された熱を効率的に放熱してトランス４００を冷やす機能を有する。
【００３７】
トランス筐体部４は、前面４３が蓋部とされており、前面４３を開閉可能とされている。トランス筐体部４は、前面４３を開くことにより、電力変換筐体部３とトランス筐体部４との固定作業、トランス４００およびヒートシンク４０１などの部品の設置および取り外しといった作業が実施可能とされている。
【００３８】
トランス筐体部４は、貫通孔であるねじ孔４１と、貫通孔であるケーブル挿通孔４２と、が上面４４に形成されている。ねじ孔４１は、電力変換筐体部３とトランス筐体部４とのねじ固定に用いられる。ケーブル挿通孔４２は、電力変換回路３００とトランス４００とを電気的に接続する不図示の電力用ケーブルを挿通するために用いられる。
【００３９】
電力変換筐体部３とトランス筐体部４とは、電力変換筐体部３の下面３４とトランス筐体部４の上面４４とを対向させて接触させた状態で固定されている。電力変換筐体部３とトランス筐体部４とは、電力変換筐体部３の下面３４に形成されたねじ孔３１と、トランス筐体部４の上面４４に形成されたねじ孔４１と、を用いて、不図示のボルトとナットとによって機械的にねじ止め固定されている。
【００４０】
電力変換筐体部３のねじ孔３１と、トランス筐体部４のねじ孔４１と、ボルトと、ナットとは、電力変換筐体部３とトランス筐体部４とを脱着可能に固定する固定部１２を構成する。
【００４１】
そして、電力変換筐体部３とトランス筐体部４とが固定された状態において、電力変換筐体部３の下面３４に形成されたケーブル挿通孔３２が、トランス筐体部４の上面４４に形成されたケーブル挿通孔４２に対応する位置に配置されている。すなわち、電力変換筐体部３の内部とトランス筐体部４の内部とが、ケーブル挿通孔３２とケーブル挿通孔４２とを介して連通されている。そして、電力変換回路３００に接続された電力用ケーブルが、ケーブル挿通孔３２とケーブル挿通孔４２とを介してトランス筐体部４の内部に引き出されてトランス４００に接続されている。これにより、電力変換回路３００とトランス４００とは、電力変換部２の内部において電力用ケーブルにより電気的に接続されている。
【００４２】
また、充放電装置１は、使用する電気容量が比較的小さい特定の負荷に電力を供給する用途で、トランス４００を使用せずに電力変換回路３００が単独で使用される場合には、トランス筐体部４を電力変換筐体部３から取り外して使用可能である。
【００４３】
そして、電力変換筐体部３のケーブル挿通孔３２は、トランス４００が使用されず、電力変換筐体部３とトランス筐体部４とが機械的に接続されないときは、たとえば図５に示すようなゴムブッシュ８０によって塞がれる。これにより、電力変換筐体部３とトランス筐体部４とが機械的に接続されない場合における、充放電装置１の防水防塵構造が確保される。
【００４４】
また、電力変換筐体部３のケーブル挿通孔３２は、トランス４００が使用されず、電力変換筐体部３とトランス筐体部４とが機械的に接続されないときは、電力変換筐体部３の下面３４に形成されたねじ孔３１を使って、ボルトもしくはアンカーボルトとナットとにより、充放電装置１の設置面に充放電装置１を固定することができる。
【００４５】
上記のように構成された充放電装置１は、トランス４００が収納されたトランス筐体部４を、電力変換部２が収納された電力変換筐体部３に対して、容易に着脱可能とされている。すなわち、充放電装置１は、トランス筐体部４を電力変換筐体部３に容易に取り付けることができ、また、トランス筐体部４を電力変換筐体部３から容易に取り外すことができる。
【００４６】
これにより、充放電装置１は、住宅内の家庭用電気機器の負荷６０に電力を供給する場合に、使用する電気容量が相対的に小さい住宅内の特定の負荷６０に電力を供給する用途で、トランス４００を使用せずに電力変換回路３００が単独で使用される場合には、トランス筐体部４を電力変換筐体部３から取り外して使用することができる。また、充放電装置１は、住宅内の家庭用電気機器の負荷６０に電力を供給する場合に、使用する電気容量が相対的に大きい住宅内の特定の負荷６０に電力を供給する用途、または住宅内の全ての負荷６０に電力を供給する用途で、電力変換回路３００とともにトランス４００が使用される場合には、トランス筐体部４を電力変換筐体部３に取り付けて使用することができる。
【００４７】
これにより、充放電装置１は、電力変換回路３００の仕様を、使用する電気容量が相対的に大きい住宅内の特定の負荷６０に電力を供給する場合に合わせて選定しておけば、使用する電気容量が相対的に小さい住宅内の特定の負荷６０に電力を供給する場合、および使用する電気容量が相対的に大きい住宅内の特定の負荷６０に電力を供給する場合の両方の場合に対応可能である。このため、使用する電気容量が相対的に小さい住宅内の特定の負荷６０に電力を供給する仕様の充放電装置と、使用する電気容量が相対的に大きい住宅内の特定の負荷６０に電力を供給する仕様の充放電装置と、を個別に作製する必要がない。すなわち、使用する電気容量が相対的に小さい住宅内の特定の負荷６０に電力を供給する仕様の充放電装置の筐体と、使用する電気容量が相対的に大きい住宅内の特定の負荷６０に電力を供給する仕様の充放電装置の筐体と、を個別に作製する必要がなく、製造が容易である。したがって、トランスの定格容量に対応して複数種類の筐体を製造する必要がなく、材料、製造工程、および、製品管理に関わるコストを低減することができる。
【００４８】
また、使用する電気容量が相対的に小さい住宅内の特定の負荷６０に電力を供給する際には、トランス筐体部４が不要となり、取り外すことができる。このため、充放電装置１を小型化することができ、設置スペースが小さくなり、設置場所の自由度が向上し、またコストが軽減される。
【００４９】
これにより、充放電装置１は、住宅内の家庭用電気機器の負荷に電力を供給する場合に、ユーザーが要望する電力の供給容量に柔軟に対応できる。
【００５０】
また、電力変換回路３００は、動作時に発熱する発熱部品を有し、電力変換する電力が大きくなるほど電力変換回路の発熱量が多くなる。また、トランス４００も、動作時に発熱する発熱部品であり、大型化するほど発熱量が多くなる。電力変換回路３００とトランス４００とが１つの筐体の内部に配置された場合には、電力変換回路３００とトランス４００との発熱量がともに多い場合、筐体内の温度が高温になる。このため、電力変換回路３００とトランス４００との温度上昇を抑えるために、大型の冷却ファンまたは大型のヒートシンクなどの大型の冷却部品が必要になる。冷却部品の大型化は、製品の大型化に繋がる。
【００５１】
これに対して、充放電装置１は、電力変換筐体部３とトランス筐体部４とが分割して構成されていることにより、充放電装置１における主な発熱源である電力変換回路３００とトランス４００とが分散して配置されている。このため、充放電装置１では、ヒートシンク３０１およびヒートシンク４０１などの放熱部品の大型化が抑制され、充放電装置１の大型化およびコストの増加を抑制することができる。
【００５２】
また、充放電装置１は、トランス４００が収納されたトランス筐体部４の全体の重量が、電力変換回路が収納された電力変換筐体部３の全体の重量よりも重く、充放電装置の高さ方向において、電力変換筐体部３がトランス筐体部４の上に配置されている。これにより、充放電装置１は、充放電装置１の重心を下げて、設置状態における安定性を確保することができる。
【００５３】
したがって、本実施の形態１にかかる充放電装置１によれば、住宅内の家庭用電気機器の負荷６０に電力を供給する場合に、ユーザーが要望する電力の供給容量に柔軟に対応でき、簡便に製造可能であり、低コストの充放電装置を提供できる。
【００５４】
実施の形態２．
上述した実施の形態１では、電力変換部２の幅方向の寸法が電力変換筐体部３の寸法と同一とされた、寸法が１種類に固定されたトランス筐体部４が電力変換筐体部３に対して着脱可能とされた場合について説明したが、トランス４００の大きさに対応してトランス４００を収納するトランス筐体部４の電力変換部２の幅方向の寸法を変えてもよい。すなわち、トランス筐体部４の形状および大きさは、トランス４００の仕様に対応させて変更されてもよい。
【００５５】
図６は、実施の形態２にかかる充放電装置を示す斜視図である。図７は、実施の形態２にかかる充放電装置において、トランス筐体部および棚板が取り外され、短い脚部が取り付けられた状態を示す斜視図である。図８は、実施の形態２にかかる充放電装置のトランス筐体部を示す斜視図である。なお、実施の形態２にかかる充放電装置２１の説明においては、上述した実施の形態１にかかる充放電装置１と同様の構成については、同じ符号を付すことで詳細な説明は省略する。
【００５６】
実施の形態２にかかる充放電装置２１は、実施の形態１にかかる充放電装置１と同様に、電力変換部２と、充放電ケーブル５と、充放電コネクタ６と、ケーブルホルダー７と、を備える。
【００５７】
電力変換部２は、電力変換部２において相対的に上部に配置された電力変換筐体部３と、電力変換部２において相対的に下部に配置されたトランス筐体部４ａと、の２つの筐体を備える。
【００５８】
電力変換筐体部３の下面３４における電力変換部２の幅方向の両端部には、直方体形状を有する２つの脚部９である脚部９１と脚部９３とが設けられている。脚部９１と脚部９３とは、同じ高さを有する。脚部９１と脚部９３とは、直方体形状において一番面積が広い主面の面内方向が、電力変換部２の奥行き方向および電力変換部２の高さ方向に平行な状態で、電力変換筐体部３の下面３４に取り付けられている。
【００５９】
脚部９１において脚部９３と対向する側面である側面９２と、脚部９３において脚部９１と対向する側面である側面９４とは、平板状の棚板１０で連結されている。棚板１０は、電力変換部２の高さ方向における脚部９の下面と電力変換筐体部３の下面３４との間において、棚板１０の上面１１が電力変換筐体部３の下面３４と平行な状態で設けられている。そして、トランス筐体部４ａは、棚板１０の上面１１の上に配置されている。
【００６０】
電力変換筐体部３の下面３４には、実施の形態１の場合と同様にケーブル挿通孔３２が設けられている。
【００６１】
トランス筐体部４ａは、電力変換部２の幅方向の寸法および電力変換部２の高さ方向の寸法が、実施の形態１にかかるトランス筐体部４よりも小さい寸法とされており、実施の形態１にかかるトランス筐体部４よりも外形が小さい。
【００６２】
トランス４００は、変圧処理能力によって大きさが変わる。すなわち、トランス４００は、変圧する電力の大きさによって大きさが変わり、大電力に対応可能なトランス４００ほど、大きさが大きくなる。
【００６３】
トランス筐体部４ａには、実施の形態１にかかるトランス筐体部４に収納されているトランス４００よりも変圧処理能力が小さく、外形が小さいトランス４００が収納されている。そして、トランス筐体部４ａは、内部に収納するトランス４００の大きさに対応した形状および大きさを有する筐体とされている。すなわち、充放電装置２１では、トランス筐体部４ａを、内部に収納するトランス４００の形状および大きさに対応した形状および大きさを備えた筐体とすることにより、トランス筐体部４ａの内部における不要な空間を削除して、トランス筐体部４ａおよび充放電装置２１の小型化が可能である。トランス４００の大きさに対応した形状および大きさは、トランス４００およびトランス４００の関連部品をトランス筐体部４ａの内部に収納するために必要最低限の、トランス筐体部４ａの形状および大きさである。
【００６４】
トランス筐体部４ａは、トランス筐体部４ａの下面４５に設けられた不図示のねじ孔を用いて、ねじなどの固定部品により棚板１０と機械的に固定されている。この場合、トランス筐体部４ａの下面４５に設けられたねじ孔と、２つの脚部９である脚部９１および脚部９３と、棚板１０と、ねじとは、電力変換筐体部３とトランス筐体部４ａとを脱着可能に固定する固定部１２を構成する。
【００６５】
トランス筐体部４ａは、貫通孔であるケーブル挿通孔４２が上面４４に形成されている。ケーブル挿通孔４２は、実施の形態１にかかるトランス筐体部４と同様に、電力変換回路３００とトランス４００とを電気的に接続する不図示の電力用ケーブルを挿通するために用いられる。
【００６６】
そして、電力変換筐体部３とトランス筐体部４ａとが固定された状態において、電力変換筐体部３の下面３４に形成されたケーブル挿通孔３２が、トランス筐体部４ａの上面４４に形成されたケーブル挿通孔４２に対応する位置に配置されている。すなわち、電力変換筐体部３の内部とトランス筐体部４ａの内部とが、ケーブル挿通孔３２とケーブル挿通孔４２とを介して連通されている。そして、電力変換回路３００に接続された電力用ケーブルが、ケーブル挿通孔３２とケーブル挿通孔４２とを介してトランス筐体部４ａの内部に引き出されてトランス４００に接続されている。これにより、電力変換回路３００とトランス４００とは、電力変換部２の内部において電力用ケーブルにより電気的に接続されている。
【００６７】
トランス筐体部４ａは、トランス４００から電力ケーブルを外し、棚板１０との固定を外すことにより、電力変換筐体部３との接続を解除して電力変換筐体部３から取り外すことができる。また、トランス筐体部４ａを取り外した電力変換筐体部３は、棚板１０と脚部９１と脚部９３とを取り外し、図７に示すように脚部９１および脚部９３よりも高さが低い脚部９５および脚部９６に脚部９を交換することができる。これにより、充放電装置２１の設置スペースの縮小化が図れる。
【００６８】
上述したように、実施の形態２にかかる充放電装置２１は、実施の形態１にかかる充放電装置１と同様に、電力変換筐体部３に対してトランス筐体部４ａを外部から簡単に脱着できる。このため、充放電装置２１の設置後に、住宅内の特定の家庭用電気機器の負荷６０に充放電装置２１から電力を供給している状態から、住宅内の全ての家庭用電気機器の負荷６０に充放電装置２１から電力を供給できる状態にするための、負荷６０に供給する電力容量の変更を、充放電装置２１を移動したりすることなく、電力変換筐体部３にトランス筐体部４ａを取り付けるだけで対応することができる。
【００６９】
これにより、ユーザーは、初期導入コストを抑えて充放電装置２１を設置することができる。そして、トランス筐体部４ａを新たに追加して、住宅内の全ての家庭用電気機器の負荷６０に充放電装置２１から電力を供給するかどうかを、充放電装置２１の設置後に、家庭用電気機器の使用状況に対応して選択することができる。
【００７０】
また、上述とは逆に、住宅内の全ての家庭用電気機器の負荷６０に充放電装置２１から電力を供給する必要がなくなった場合には、電力変換筐体部３からトランス筐体部４ａを取り外すことで、負荷６０に供給する電力容量の変更に対応できる。さらに、電力変換筐体部３からトランス筐体部４ａを取り外した場合には、棚板１０を取り外し、脚部９を短い脚部９５，９６に取り換えることにより、設置スペースの縮小が図れる。
【００７１】
以上の実施の形態に示した構成は、一例を示すものであり、別の公知の技術と組み合わせることも可能であるし、実施の形態同士を組み合わせることも可能であるし、要旨を逸脱しない範囲で、構成の一部を省略、変更することも可能である。
【符号の説明】
【００７２】
１，２１  充放電装置、２  電力変換部、３  電力変換筐体部、４，４ａ  トランス筐体部、５  充放電ケーブル、６  充放電コネクタ、７  ケーブルホルダー、９，９１，９３，９５，９６  脚部、１０  棚板、１１，４４  上面、１２  固定部、３１，４１  ねじ孔、３２，４２  ケーブル挿通孔、３３，４３  前面、３４，４５  下面、５０  電力系統、６０  負荷、７０  電動車両、７１  蓄電池、８０  ゴムブッシュ、９２，９４  側面、１００  充放電システム、３００  電力変換回路、３０１，４０１  ヒートシンク、４００  トランス。
【要約】
充放電装置（１）は、電力系統から供給される交流電力を直流電力に電力変換して電動車両に実装された蓄電池に供給し、蓄電池から放電された直流電力を交流電力に電力変換して宅内負荷に供給する充放電装置（１）である。充放電装置（１）は、交流電力を直流電力に電力変換し、また直流電力を交流電力に電力変換する電力変換回路を収納する第１の筐体と、電力変換回路において直流電力から電力変換されて宅内負荷に供給される交流電力の電圧を変圧するトランスを収納する第２の筐体と、第１の筐体と第２の筐体とを脱着可能に固定する固定部（１２）と、を備える。【図１】
0006833154.tif 000002
【図２】
0006833154.tif 000003
【図３】
0006833154.tif 000004
【図４】
0006833154.tif 000005
【図５】
0006833154.tif 000006
【図６】
0006833154.tif 000007
【図７】
0006833154.tif 000008
【図８】
0006833154.tif 000009